(57)【要約】【課題】  太陽電池アレイが浮き上がることを簡易な構造により防止し、かつ太陽電池アレイの発電効率の低下を防止する。【解決手段】  太陽電池アレイ１１、支持架台１２及び凸状構造物１３ａを有する。凸状構造物１３ａにより、太陽電池アレイ１１と取付面１０との間の空間の一部に絞り空間Ｓ１を形成する。太陽電池アレイ１１と取付面１０との間に吹き込んだ空気流Ｗは、絞り空間Ｓ１を通過することにより、一旦絞られた後で開放される。このときベンチュリー効果により絞り空間Ｓ１において空気流Ｗが加速され、絞り空間上に位置する太陽電池アレイ１１に負圧による引力が働く。すなわち、太陽電池アレイ１１の下面に対し、取付面側への引力が発生する。この引力により、太陽電池アレイ１１を持ち上げようとする空気流Ｗの力を相殺または弱めることができる。【選択図】  図３
2007180312.tif 000002
【特許請求の範囲】
【請求項１】
取付面に取り付けられる太陽光発電装置であって、
１または複数の太陽電池モジュールを含む太陽電池アレイと、
前記太陽電池アレイを前記取付面から離隔して支持する支持架台と、
前記太陽電池アレイと前記取付面との間の空間の一部に、絞り空間を形成する絞り空間形成手段と、
を有する太陽光発電装置。
【請求項２】
前記絞り空間形成手段は、前記絞り空間を、前記太陽電池アレイの一部または全部の周縁に沿って形成する、請求項１に記載の太陽光発電装置。
【請求項３】
前記絞り空間形成手段は、前記絞り空間を、前記太陽電池アレイの中央部分に形成する、請求項１に記載の太陽光発電装置。
【請求項４】
前記絞り空間形成手段は、前記取付面上に設置される、かつ前記太陽電池アレイ側に突出した凸状構造物である、請求項１に記載の太陽光発電装置。
【請求項５】
前記支持架台の一部は、前記絞り空間形成手段上に設けられ、前記太陽電池アレイを前記取付面に対して所定の傾きに支持している、請求項４に記載の太陽光発電装置。
【発明の詳細な説明】
【技術分野】
【０００１】
本発明は、建物の壁面や地面などの取付面に取り付けられる太陽電池装置に関する。
【背景技術】
【０００２】
太陽電池モジュールを複数接続した太陽電池アレイを、建物の屋上や壁面、地面などの屋外の取付面に設置した場合、太陽電池アレイが浮き上がる方向に働く揚力が、空気流によって発生する。この揚力のために、空気流が強いときには、太陽電池アレイが吹き飛ばされるおそれがある。この問題を解消するために、従来から様々な工夫がなされている。たとえば、太陽電池アレイの支持架台を、取付面に対し強固に固定する工夫がなされている。また、別の対策としては、太陽電池アレイの支持架台の基礎部分を重く形成し、太陽電池アレイの浮き上がりを抑えることが試みられている。
【０００３】
さらに別の対策として、特許文献１には、太陽電池アレイの裏面側に翼断面形状のフィンを設けた太陽電池装置が提案されている。この太陽電池装置では、太陽電池アレイの裏面側から空気流が吹いた場合、フィンの上面及び下面に沿って空気流が流れることにより下向きの揚力を発生させる。この揚力が取付面側への押し付け力として太陽光発電装置に作用するため、裏面側からの空気流により太陽光発電装置が浮き上がるのを抑制することができる。
【０００４】
特許文献２は、支持架台に空気流圧軽減部材が設けられた太陽電池アレイを開示している。この太陽電池アレイでは、空気流圧軽減部材によって空気流による空気流圧を上方に逃し、太陽電池アレイに作用する空気流圧を軽減する。
【特許文献１】特開２０００−２６９５３３号公報
【特許文献２】特開２０００−２０８８０２号公報
【発明の開示】
【発明が解決しようとする課題】
【０００５】
しかし、架台を取付面に強固に固定するために、地中深くまでアンカーを打ち込んだり、屋根や屋上に多数のアンカーを打ち込んだりすれば、施工工数が増すとともに、アンカーによって支えられる金具等も荷重に耐えられるだけの強度が必要となる。これは太陽電池アレイと架台とを含む太陽光発電装置全体の重量の増加を招く。また、架台を取付面へ固定するための穴を建物に設けざるを得ず、建物内部への漏水を防ぐための防水処理の工数がさらに増すことになる。
【０００６】
また、架台の基礎部分の重量を大きくする方法をとれば、相当の空気流速にも耐えうるように架台の重量を増大させることが求められる。これは、建物の上部に大きな負荷をかけることになり、屋根のひずみやコンクリートのひび割れ等を発生させ、結果的に建物の寿命を縮めるおそれがある。さらに屋根上に重量物を載せることによって建物の構造が不安定になり、耐震性が低下するおそれも懸念される。
【０００７】
特許文献１に記載の太陽電池装置は、太陽電池アレイに対し、取付面側への力を発生させるという点で一定の効果を有している。しかし、フィンに作用する揚力の反作用がフィンの周辺を流れる空気を通して太陽電池アレイに伝わり、取付面側への力は、その反作用により相殺されるため、太陽電池アレイを持ち上げる揚力を完全に抑えることは困難である。
【０００８】
特許文献２に記載の太陽電池アレイは、空気流圧を軽減する点において一定の効果を有している。しかし、この技術は、太陽電池の側面にも空気流圧軽減部材を設けるため、空気の流れが阻害される。その結果、太陽電池アレイ裏面側での熱放散が阻害され、太陽電池アレイの温度上昇によって発電性能が低下するおそれがある。
本発明は、太陽電池アレイが浮き上がることを簡易な構造により防止し、かつ太陽電池アレイの発電効率の低下を防止する技術を提供することを目的とする。
【課題を解決するための手段】
【０００９】
前記課題を解決するために、発明１は、取付面に取り付けられる太陽光発電装置を提供する。この装置は以下の構成要件を有している。
・１または複数の太陽電池モジュールを含む太陽電池アレイ、
・前記太陽電池アレイを前記取付面から離隔して支持する支持架台、
・前記太陽電池アレイと前記取付面との間の空間の一部に、絞り空間を形成する絞り空間形成手段。
【００１０】
この太陽光発電装置では、太陽電池アレイと取付面との間の下方空間の一部に絞り空間が形成される。太陽電池アレイと取付面との間に吹き込んだ空気流は、絞り空間を通過することにより、一旦絞られた後で開放される。このとき、ベンチュリー効果により、絞り空間において空気流が加速され、絞り空間上に位置する太陽電池アレイの上下で圧力差が生じる。この圧力差により、太陽電池アレイの下面に対し、取付面側への引力が発生する。この引力により、太陽電池アレイを取付面に対し、安定的に固定させることができる。なお、太陽電池アレイは通常複数の太陽電池モジュールを含むが、１つの太陽電池モジュールを含む太陽電池アレイにも本発明を適用可能である。
【００１１】
発明２は、前記発明１において、前記絞り空間形成手段が、前記絞り空間を、前記太陽電池アレイの一部または全部の周縁に沿って形成する太陽光発電装置を提供する。
板状の太陽電池アレイの周縁付近の下方空間に絞り空間を形成することにより、ベンチュリー効果による圧力差が太陽電池アレイの周縁の上下で生じる。太陽電池アレイの周縁部分は空気流の力を受けやすいため、圧力差による取付面側への引力を周縁部分に印加することにより、太陽電池アレイの浮き上がりを効率よく防止できる。
【００１２】
絞り空間は、必ずしも太陽電池アレイの全周に沿って形成せず、一部に形成しても良い。例えば、太陽電池アレイを南面に向けて傾斜させて設置する場合、北側の縁に沿って絞り空間を形成すると良い。北側からの空気流により太陽電池アレイがあおられるのを効率的に防止することができる。これとは異なり、太陽電池アレイの全周に沿って絞り空間を形成すれば、あらゆる方向からの空気流に対してベンチュリー効果を期待できる。
【００１３】
発明３は、前記発明１において、前記絞り空間形成手段が、前記絞り空間を、前記太陽電池アレイの中央部分に形成する太陽光発電装置を提供する。
絞り空間を周縁部分から離れた部分である中央部分の下方空間に形成することにより、多方向から吹き込む空気流に対してベンチュリー効果を期待できる。太陽電池アレイが複数の太陽電池モジュールを含む場合、複数の絞り空間を、太陽電池アレイと取付面との間に形成することが好ましい。太陽電池アレイに印加する引力を増加させ、太陽電池アレイが空気流にあおられることを防止しやすくなる。
【００１４】
発明４は、前記発明１において、前記絞り空間形成手段が、前記取付面上に設置される、かつ前記太陽電池アレイ側に突出した凸状構造物である太陽光発電装置を提供する。
例えば断面が台形状やかまぼこ状、翼状の凸状構造物を、太陽電池アレイと取付面との間に絞り空間が形成されるように設置する。これにより、凸状構造物側から吹き込む空気流は、凸状構造物の凸部分で絞られることになるので、ベンチュリー効果を発生させることができる。
【００１５】
凸状構造物の形状は特に形成されないものの、その断面がかまぼこ状や翼状などであれば、凸状構造物の表面が湾曲形状となるので好ましい。エッジのない湾曲形状に凸状構造物を形成すれば、乱流が発生しにくく、ベンリュリー効果による負圧を発生させやすい。
例えば断面がかまぼこ状の凸状構造物を、太陽電池アレイの周縁に沿って配置する。これにより、発明２と同様の作用効果を奏することができる。かまぼこ状凸状構造物の端面を湾曲面で構成すれば、乱流の発生を低減できさらに好ましい。また例えば、断面がかまぼこ状の凸状構造物上に、太陽電池アレイを配置してもよい。これにより、発明３と同様の作用効果を奏する。
【００１６】
発明５は、前記発明４において、前記支持架台の一部は、前記絞り空間形成手段上に設けられ、前記太陽電池アレイを前記取付面に対して所定の傾きに支持している太陽光発電装置を提供する。
絞り空間形成手段の凸状構造を利用し、その上に支持架台を設ければ、太陽電池アレイを所望の角度に傾けて設置することができる。言い換えれば、そのような角度に太陽電池アレイを設置できるように、凸状構造物の高さを設定すると良い。
【発明の効果】
【００１７】
本発明を用いれば、太陽電池アレイの下方空間に絞り空間形成手段により絞り空間を形成するため、太陽電池アレイの下方空間に流入する空気流による引力を太陽電池アレイに働かせ、発電効率を低下させることなく簡単な構成で太陽光発電装置の取付面への固定力を向上させることができる。
【発明を実施するための最良の形態】
【００１８】
本文中の負圧とは、大気圧よりも低い圧力を示すこととする。
＜第１実施形態＞
（１）構成
〔全体構成〕
図１は、第１実施形態に係る太陽光発電装置１ａが、建築物に設置されている状態を示す説明図である。本実施形態では、陸屋根を有する建築物の屋上が取付面である場合を考える。取付面は、陸屋根の屋上だけでなく、入母屋・寄せ棟屋根・切り妻屋など斜めの面であってもよい。また取付面は、建築物の外壁ではなく地面であってもよい。
【００１９】
図２は、図１の太陽光発電装置１ａの構成を示す外観斜視図である。太陽光発電装置１ａは、（ａ）太陽電池アレイ１１、（ｂ）支持架台１２、及び（ｃ）凸状構造物１３ａを含む。太陽電池アレイ１１は、１または複数の太陽電池モジュールの外周に、アルミニウムやＦＲＰ樹脂等で造られたレール状の枠部材１４を配して構成される。太陽電池モジュールは、太陽光を電気エネルギーに変換する太陽電池素子を複数枚直並列に配置し、ガラス等の透光性基板とＥＶＡ（Ｅｔｈｙｌｅｎｃｅ−Ｖｉｎｙｌ  Ａｃｅｔａｔｅ（エチレン−酢酸ビニル共重合樹脂））等とで挟んで積層することにより構成されている。
【００２０】
支持架台１２は、太陽電池アレイ１１と取付面との間に下方空間が形成されるように、取付面から離隔して太陽電池アレイ１１の４隅を支持している。４つの支持架台１２のうち少なくとも一部、この例では２つは、凸状構造物１３ａ上に設置されている。これにより、凸状構造物１３ａと太陽電池アレイ１１とに挟まれた絞り空間が形成される。また、２つの支持架台１２を凸状構造物１３ａ上に設けることにより、太陽電池アレイ１１に所望の傾きをつけ、太陽電池アレイ１１の発熱効率を高めることができる。言い換えれば、そのような角度に太陽電池アレイを設置できるように、凸状構造物の高さや支持架台１２の長さを設定すると良い。支持架台１２の長さは、全て同一でなくともよい。
【００２１】
〔凸状構造物〕
凸状構造物１３ａは、取付面上に配置され、太陽電池アレイ１１の下面側、すなわち上方に向かって突出したかまぼこ形状を有している。かまぼこ状の凸状構造物１３ａは太陽電池アレイ１１の一辺に沿って設けられ、その一辺を支持する２つの支持架台１２が凸状構造物１３ａ上に設けられている。これにより、その２つの支持架台１２で挟まれた一辺の下側周辺に、凸状構造物１３ａの上面と太陽電池アレイ１１の下面とに挟まれた絞り空間が形成されている。凸状構造物１３ａ上面と太陽電池アレイ１１下面との距離（以下、絞り空間の高さという）は、取付面と太陽電池アレイ１１下面との間の距離（以下、開放空間の高さという）よりも小さい。そのため、凸状構造物１３ａ側から太陽電池アレイ１１の下に吹き込む空気流は、絞り空間を通過した後、太陽電池アレイ１１の下方の相対的に広い空間、すなわち開放空間に開放される。このとき、ベンチュリー効果により、絞り空間の空気流が加速され、絞り空間上に位置する太陽電池アレイ１１に対して負圧による引力が働く。すなわち、太陽電池アレイ１１の下面に対し、取付面側への引力が発生する。この引力により、太陽電池アレイ１１を持ち上げようとする空気流の力を相殺または弱めることができる。太陽電池アレイ１２に印加する引力を増加させるために、平行に配列した複数の凸状構造物１３ａを太陽電池アレイ１１の下に設けることも考えられる。
【００２２】
凸状構造物１３ａの形状は、かまぼこ状だけに限定されず、例えば断面が翼状や台形状であってもよい（後述する図１１参照）。断面にエッジのないかまぼこ状や翼状に凸状構造物１３ａを形成すれば、乱流が発生しにくく、ベンリュリー効果による負圧を発生させやすい。
絞り空間の位置、すなわち凸状構造物１３ａと太陽電池アレイ１１との距離が最も小さくなる位置は、必ずしも本実施形態の例には限定されない。ただし、絞り空間が太陽電池アレイ１１の一部の周縁の下側に位置していると、凸状構造物１３ａが設けられている側からの空気流に対して太陽電池アレイ１１を固定しやすい。
【００２３】
凸状構造物１３ａは、ＦＲＰやポリカーボネイト等の樹脂成形品であっても、鉄やステンレス、アルミニウム等の金属材料を用いたものでもよい。また、それらをタンク状にして内部に水等の液体を充填できるようにしたものでもよい。さらに、凸状構造物１３ａは、取付面上にアンカーや接着材等で固定されていてよいし、自重でその場に固定されていてもよい。
【００２４】
（２）作用
〔負圧の発生〕
図３は、図２の太陽光発電装置１ａを図１中のＡ方向から見た側面図であり、太陽光発電装置１ａ周辺の空気流Ｗを示す。図４は、空気流Ｗにより生じる引力Ｆを示す説明図である。図３に示すように、空気流Ｗは、凸状構造物１３に当たり、次いで凸状構造物１３に沿って太陽電池アレイの下方空間に誘導される。空気流Ｗが絞り空間Ｓ１を通って太陽電池アレイ１１の下方の開放空間へ流入すると、ベンチュリー効果により流入する空気流Ｗが加速され、絞り空間Ｓ１における空気流の速度が他の部分より増加する。その結果、絞り空間Ｓ１の空気圧が周囲の大気圧より減少し、太陽電池アレイ１１の上面側の空気圧と下面側の空気圧とに差異が生じる。この圧力差により、太陽電池アレイ１１の下面１１ａには、取付面１０側へ引きつけようとする引力Ｆが作用する。すなわち、板状の太陽電池アレイ１１の周縁付近に絞り空間Ｓ１を形成することで、ベンチュリー効果により負圧が発生し、これにより生じる引力Ｆが太陽電池アレイ１１の周縁に働く。太陽電池アレイ１１の周縁部分は空気流Ｗによるあおりを受けやすいため、周縁部分に引力を印加することにより、太陽電池アレイ１１の浮き上がりを効率よく防止できる。
【００２５】
例えば太陽電池アレイ１１を南面に向けて傾斜させる場合、太陽電池アレイ１１の下側には北側から空気流が吹き込む。そこで、凸状構造物１３ａを太陽電池パネル１１の北側の一辺の下部に設けると、太陽電池アレイ１１の北側周縁に引力Ｆが働き、太陽電池アレイ１１を安定させ易くなる。
〔凸状構造物の固定〕
凸状構造物１３ａに空気流Ｗが当たる部分近傍には、図４に示すように、空気圧が増大する空気の滞留部Ｔが発生する。そのため、凸状構造物１３ａは、上方を流れる空気流Ｗと滞留部Ｔの空気圧とによって、取付面１０に押さえつけられ、取付面１０に対して強固に固定される。従って、凸状構造物１３ａを、アンカー等の固定手段を用いて取付面に設置固定したり、太陽電池アレイ１１や支持架台１２と構造的に連結していなくても、太陽光発電装置１ａの設置位置を保持できる。そのため、移設が容易となる利点がある。凸状構造物１３ａをタンク状にして内部に水等の液体を充填すれば、自重でその場に太陽光発電装置１ａを確実に固定できる。その上、必要に応じて充填材を排出することで、太陽光発電装置１ａを容易に移設させることができる。
【００２６】
（３）効果
本実施形態の太陽光発電装置１ａは、太陽電池アレイ１１の下方に凸状構造物１３ａにより絞り空間と開放空間とを形成し、太陽電池アレイ１１下面に対して取付面側へ引力を発生させる。これにより、太陽電池アレイ１１を持ち上げようとする空気流の力を相殺または低減させ、太陽光発電装置１ａの安定性を高めることができる。
【００２７】
また、凸状構造物１３ａをアンカーなどで取付面に固定する必要がないため、凸状構造物１３ａを基礎部材に用いることにより、構成物の少ない設計とすることができ、かつ太陽光発電装置１ａの移設が容易になる。
凸状構造物１３ａを取付面側に配置しているため、太陽光発電装置１ａの製造が容易であり、太陽電池アレイ１１の熱放散性能を阻害することがなく発電効率の低下を回避できる。
【００２８】
＜第２実施形態＞
図５は、第２実施形態に係る太陽光発電装置１ｂの外観斜視図を示す。太陽光発電装置１ｂは、凸状構造物１３ｂの形状及び配置位置を除き、第１実施形態と同一の構成を有しているので、以下では両者の相違点について説明する。
凸状構造物１３ｂは、矩形状の太陽電池アレイ１１の周縁の下に、コの字状に配置されている。凸状構造物１３ｂの断面形状はかまぼこ状若しくは半円状である。太陽電池アレイ１１の一辺を支持する２つの支持架台１２が、コの字状凸状構造物１３ｂの中心の一辺に設けられている。凸状構造物１３ｂ上に設けられた２つの支持架台１２は、取付面上に設けられた他の２つの支持架台１２よりも長く形成され、太陽電池アレイ１１を所望の角度で支持している。
【００２９】
図６は、図５に示す太陽光発電装置１ｂに三方から吹き込む空気流を示す説明図である。上記構成の太陽光発電装置１ｂでは、太陽電池アレイ１１の下側に流入する空気流のうち、コの字状の凸状構造物１３ｂ側から吹き込む空気流Ｗ１，Ｗ２，Ｗ３に対しても、取付面側への引力を発生させることができる。これにより、一方向からの空気流のみならず、多方向からの空気流に対しても太陽電池アレイ１１に引力を働かせることができる。また、凸状構造物１３ｂを太陽電池パネル１１の周縁に沿って半環状に配置することにより、太陽光発電装置１ｂの設置方位の自由度が向上する。
【００３０】
＜第３実施形態＞
図７は、第３実施形態に係る太陽光発電装置１ｃの外観斜視図を示す。太陽光発電装置１ｃは、凸状構造物１３ｃの形状及び配置位置を除き、第１実施形態と同一の構成を有しているので、以下では両者の相違点について説明する。
凸状構造物１３ｃは、矩形状の太陽電池アレイ１１の全周縁の下に、環状に配置されている。凸状構造物１３ｃの断面はかまぼこ状若しくは半円状である。太陽電池アレイ１１の４隅を支持する４つの支持架台１２は、環状の凸状構造物１３ｃ上に設けられている。
【００３１】
図８は、図７に示す太陽光発電装置１ｃのＸ−Ｘ’方向断面図である。凸状構造物１３ｃと太陽電池アレイ１１の下面とにより、太陽電池アレイ１１の中央部を除く周縁部下方に、絞り空間が形成されている。また太陽電池アレイ１１の中央部下方には、絞り空間に比して相対的に高さのある開放空間が形成されている。
図９は、図７に示す太陽光発電装置１ｃに四方から吹き込む空気流を示す説明図である。図９に示すように、太陽電池アレイ１１の周囲のいずれの方向から空気流Ｗ１，Ｗ２，Ｗ３，Ｗ４が流入しても、流入する空気流Ｗ１〜Ｗ４は凸状構造物１３ｃに当たり、次いで絞り空間を通過して開放空間へ開放される。従って、太陽電池アレイ１１にはいかなる方向の空気流が吹き込んでも引力が働くので、太陽光発電装置１ｃの設置方向や設置角度に関係なく、安定した固定力を得ることができる。
【００３２】
なお、本実施形態では各支持架台１２は同一の長さに形成され、太陽電池アレイ１１を取付面とほぼ並行に支持しているが、支持架台１２の長さを調整したり、支持架台１２の取付位置をずらすことにより、太陽電池アレイ１１を所望の角度に傾けることもできる。また、凸状構造物１３の高さを段階的に変えることにより、太陽電池アレイ１１に所望の角度を持たせつつ絞り空間を形成することも考えられる。
【００３３】
＜第４実施形態＞
図１０は、第４実施形態に係る太陽光発電装置１ｄの外観斜視図を示す。太陽電池アレイ１１は、断面がかまぼこ状の凸状構造物１３ｄ上に取り付けられている。これにより、太陽電池アレイ１１の周縁部分から離れた部分である中央部分に、相対的な高さが低い絞り空間が形成される。従って、凸状構造物１３ｄの湾曲面に沿ういずれの方向から空気流Ｗ５，Ｗ５’が吹き込んでも、太陽電池アレイ１１の中央付近でベンチュリー効果による負圧の発生を期待できる。その他の構造及び作用は、前記第１実施形態と同様である。
【００３４】
＜第５実施形態＞
図１１は、第５実施形態に係る太陽光発電装置１ｅ，１ｆ，１ｇの外観斜視図である。凸状構造物の断面形状は、前記第１〜第４実施形態で示したかまぼこ状に限定されない。例えば、図１１（ａ）は、断面がくさび状若しくは翼状の凸状構造物１３ｅを示す。同図（ｂ）は、断面が波形形状の凸状構造物１３ｆを示す。図１１（ｃ）は、断面が台形状の凸状構造物１３ｇを示す。いずれの形状においても、凸状構造物１３ｅ，ｆ，ｇ側からの空気流は、太陽電池アレイ１１下方で絞り空間を通過した後で開放空間に開放されることにより、太陽電池アレイ１１に下向きの引力を生じさせる。
【００３５】
また、図１１（ｂ）においては、凸状構造物１３ｆの断面形状は、太陽電池アレイ１１外部に突出した一方の端部が取付面側に凸に湾曲している。これにより、取付面側に凸の湾曲面で空気流を対流させて凸状構造物１ｆをさらに強固に取付面に対して固定させることができる。また、凸状構造物１ｆと取付面とが滑らかに連続するため、乱流が発生しにくく、空気流を円滑に太陽電池アレイ１１下方空間に導入することができる。凸状構造物１ｆの波形断面の他方の端部、すなわち太陽電池アレイ１１下部に位置する端部は、上面側に凸に湾曲している。
【００３６】
これら以外にも、凸状構造物としては、相対的に高さの異なる絞り空間と開放空間とを太陽電池アレイ１１の下方空間内に形成する形状であればよく、上記の例に限定されない。凸状構造物側から吹き込む空気流が絞り空間から開放空間に開放されることで、ベンチュリー効果を発生させることができるからである。
＜第６実施形態＞
図１２（ａ）は、第６実施形態に係る太陽光発電装置１ｈの外観斜視図である。絞り空間形成手段としての凸状構造物１３ｈの端部は、空気抵抗を低減させる形状に形成されている。図１２（ｂ）は、同図（ａ）の図中Ｂ方向から見た突状構造物１３ｈを示す。突状構造物１３ｈの端部は、外側に弧を描くように湾曲して形成されている。図１２（ｃ）は、同図（ａ）の図中Ｃ方向から見た突状構造物１３ｈを示す。突状構造物１３ｈの端部は、外側に弧を描くように湾曲して形成されている。これにより、突状構造物１３ｈの側面と上面との連結部分に鋭利なリッジが形成されるのを防ぎ、突状構造物１３ｈの側面近傍での乱気流の発生を防止することができる。
【００３７】
さらに、凸状構造物１３ｈの長さが太陽電池アレイ１１の幅よりも十分長ければ、図３で示す空気流Ｗの一部が凸状構造物１３ｈの端部に沿って流れるときに発生する乱気流が太陽電池アレイ１１の下側の空間に入ることを防止できる。これにより、絞り空間で加速された空気流の速度の低下を防止し、太陽電池アレイ下面に働く引力Ｆの減少を抑えることができる。他の構成及び作用効果は、前記第１実施形態と同様である。
【００３８】
＜その他の実施形態＞
凸状構造物の形状は、上記の例に限定されない。例えば、半円状の凸状構造物（図示せず）上に太陽電池アレイ１１を設ければ、絞り空間が太陽電池アレイ１１の中央部分下方に形成され、その周りに開放空間が形成される。従って、いかなる方向の空気流に対しても、太陽電池アレイ１１に対して引力を働かせることができる。
【図面の簡単な説明】
【００３９】
【図１】太陽光発電装置が、建築物に設置されている状態を示す説明図
【図２】図１の太陽光発電装置の構成を示す外観斜視図
【図３】図１の太陽光発電装置周辺の空気流Ｗを示す説明図
【図４】空気流Ｗにより生じる引力を示す説明図
【図５】第２実施形態に係る太陽光発電装置の外観斜視図
【図６】図５に示す太陽光発電装置に三方から吹き込む空気流を示す説明図
【図７】第３実施形態に係る太陽光発電装置の外観斜視図
【図８】図７に示す太陽光発電装置のＸ−Ｘ’方向断面図
【図９】図７に示す太陽光発電装置に四方から吹き込む空気流を示す説明図
【図１０】第４実施形態に係る太陽光発電装置の外観斜視図
【図１１】第５実施形態に係る太陽光発電装置の外観斜視図（ａ）凸状構造物の断面形状がくさび状若しくは翼状の場合（ｂ）凸状構造物の断面形状が波形形状の場合（ｃ）凸状構造物の断面形状が台形状の場合
【図１２】（ａ）第６実施形態に係る太陽光発電装置の外観斜視図（ｂ）同図（ａ）の図中Ｂ方向から見た突状構造物（ｃ）同図（ａ）の図中Ｃ方向から見た突状構造物
【符号の説明】
【００４０】
１ａ〜ｈ：太陽光発電装置
１１：太陽電池アレイ
１２：支持架台
１３ａ〜ｈ：凸状構造物
【図１】
2007180312.tif 000003
【図２】
2007180312.tif 000004
【図３】
2007180312.tif 000005
【図４】
2007180312.tif 000006
【図５】
2007180312.tif 000007
【図６】
2007180312.tif 000008
【図７】
2007180312.tif 000009
【図８】
2007180312.tif 000010
【図９】
2007180312.tif 000011
【図１０】
2007180312.tif 000012
【図１１】
2007180312.tif 000013
【図１２】
2007180312.tif 000014